(57)【要約】      （修正有）【課題】敏感な歯を持つ人々にとって噴霧を使用するのが快適であるよう、そのような装置が特定の窓領域内の温度まで液体を加熱し得ることが望ましい液滴噴霧歯洗浄システムを提供する。【解決手段】液滴噴霧歯洗浄システムは、安全且つ快適でありながら効果的な動作のための温度及び空気と気体との間の容積流比の窓領域を含み、温度は、液滴噴霧システムの液体線部分５１の周り、好ましくは、システムのハンドル部分５２内に配置される流動ヒータ７４によって維持される。同様に含まれるのは、ノズルの前に、液体の温度を決定する熱電対熱センサ構成７８と、温度／流比窓領域内の温度を維持するための制御７６，５３とである。液体から粒子を除去すると同時に、少なくともシステムの交換可能なヘッド部分の予期される寿命の間にそこを通じる十分な流れを許容するために、好ましくは、システムのヘッド部分内にフィルタ１２６が設けられる。【選択図】図１
2014205144.tif 000002
【特許請求の範囲】
【請求項１】
歯を洗浄するための液滴噴霧システム内の液体を加熱するためのシステムであって、
液体のための供給線と気体のための供給線とを含む液滴噴霧歯洗浄システムのためのハウジング部分を備えるハンドル部分と、ヘッド組立体とを含み、
該ヘッド組立体は、そのためのハウジング部分と、液体及び気体のためのヘッド内の供給線と、液体液滴を創成し、次に、歯を洗浄するための噴霧を生成するよう液体液滴を加速するための噴霧ノズル組立体とを含み、
前記ハンドル部分又は前記ヘッド部分は、前記液体供給線の周りに位置付けられる流動加熱部材と、前記液体線内の液体を予め定められる温度に加熱するために前記ヒータ部材を励磁するためのシステムとを含む、
システム。
【請求項２】
前記液体の温度のためのセンサと、前記液体を選択的な温度範囲内に維持するために前記流動ヒータの動作を制御するための制御回路とを含む、請求項１に記載のシステム。
【請求項３】
前記加熱部材は、前記液滴噴霧組立体の前記ハンドル部分内に配置される、請求項１に記載のシステム。
【請求項４】
前記加熱部材は、当該システムの前記ヘッド部分内に配置される、請求項１に記載のシステム。
【請求項５】
前記ヘッド部分は、前記ハンドル部分から取り外し可能である、請求項１に記載のシステム。
【請求項６】
前記ヘッド部分及び前記ハンドル部分は、一体的な組立体を含む、請求項１に記載のシステム。
【請求項７】
前記加熱部材は、選択的な距離のために前記液体線の周りに巻回される抵抗ワイヤを含み、前記加熱素子は、３〜１００ワットの範囲内にある、請求項１に記載のシステム。
【請求項８】
そこを通じて冷却液体を受容し且つ方向付けるために前記流動ヒータを取り囲む外装部材を含み、それによって、前記ハンドルの前記ハウジングに伝達される熱を減少する、請求項１に記載のシステム。
【発明の詳細な説明】
【技術分野】
【０００１】
本発明は、一般的には、歯を洗浄するための液滴噴霧システムに関し、より具体的には、選択的な窓領域(window)内の温度を維持する機能、及び、液体噴射ノズルの詰まりを防止するために液体をフィルタリングする機能を含む、そのようなシステムの選択的な機能に関する。
【背景技術】
【０００２】
歯のための液滴噴霧洗浄システムは概ね既知であり、様々な特許及び公開特許出願に記載されている。１つのそのような特許出願が、特許文献１として公開されている。その特許出願は、本発明の譲受人によって所有されており、その内容は参照としてここに引用される。その特許文献１では、液体（水）液滴が生成され、次に、空気のようなガスの流れによって所望の噴霧速度に加速される。
【０００３】
他の既知のシステムでは、液体液滴が生成され、次に、渦巻ノズルのような他の手段によって高速に加速される。しかしながら、いずれの場合においても、液体液滴は、歯の効果的な洗浄をもたらすために、所要の組み合わせのサイズ及び速度を有さなければならない。これらのシステムの多くは、家庭用に設計され且つ意図される装置内に具体化されており、故に、噴霧を使用するのが快適であるよう、そのような装置が特定の窓領域内の温度まで液体を加熱し得ることが望ましい。これは敏感な歯を持つ人々にとって特に重要である。従って、液体液滴が歯及び／又は歯肉に衝突するときのそれらの温度は、システムの動作の重要な部分である。
【０００４】
液体の加熱に関して、効果的であり且つ有意な電力を消費しない液体を加熱するシステムを有することが重要である。加熱システムが比較的小さく且つコンパクトであることも望ましい。結果として得られるシステムは、手持ち式装置又は連結装置の手持ち部分内に適合し得なければならない。
【０００５】
そのような液滴噴霧システムのさらなる懸念は、噴霧ノズルを通じる連続的で十分な流れの液体を保証することである。ノズル内の開口は、典型的には、液体中の粒子が、それが水道水であろうと、洗口液又は他の液体であろうと、開口内に捕捉されるようなサイズであり、その結果、開口、故に、ノズルの部分的な閉塞が起こり、或いは、完全な閉塞さえも起こる。これは、それが噴霧を実質的に除去し、その結果、システムが動作不能になる地点まで、液滴噴霧洗浄システムの有効性を減少する。
【先行技術文献】
【特許文献】
【０００６】
【特許文献１】国際公開ＷＯ２００５／０７０３２４号
【発明の開示】
【発明が解決しようとする課題】
【０００７】
従来技術の上記問題点を解決することが本発明の目的である。
【課題を解決するための手段】
【０００８】
従って、本発明の１つの特徴は、歯のための液滴噴霧洗浄システムであって、液滴が生成され、次に、別個の気体の流れによって加速される液体の流れを生成するためのシステムを含み、液滴は、歯の洗浄をもたらすようなサイズ及び速度であり、流体の流れは、約８７５の液体に対する気体の容積比上限と、約２４の容積比下限と、容積比下限にある約２７℃から容積比上限にある約５５℃に上昇する温度下限と、容積比下限にある約４５℃から約２５０の容積比にある６０℃への温度上限とを含み、温度上限は、容積比上限まで約６０℃に留まるシステムを含む。
【０００９】
本発明の他の特徴は、歯を洗浄するための液滴噴霧システム内の液体を加熱するためのシステムであって、液体のための供給線と気体のための供給線とを含む液滴噴霧歯洗浄システムのためのハウジング部分を備えるハンドル部分と、ヘッド組立体とを含み、ヘッド組立体は、そのためのハウジング部分と、液体及び気体のためのヘッド内の供給線と、液体液滴を創成し、次に、歯を洗浄するための噴霧を生成するよう液体液滴を加速するための噴霧ノズル組立体とを含み、ハンドル部分又はヘッド部分は、液体供給線の周りに位置付けられる流動加熱部材と、液体線内の液体を予め定められる温度に加熱するためにヒータ部材を励磁するためのシステムとを含む、システムである。
【００１０】
本発明の他の特徴は、液滴噴霧歯洗浄システム内の液体をフィルタリングするためのシステムであって、歯を洗浄するための液滴噴霧システムを含み、液滴噴霧システムは、液体源と、液滴を創成し且つ歯を洗浄するための速度に加速するための噴霧ノズル組立体とを含み、液滴噴霧システムは、噴霧ノズル組立体の前に配置される、液体源からの液体線内のフィルタを含み、フィルタは、ノズル組立体内のノズル開口を目詰まりさせる粒子を除去し得る孔サイズを有し、加えて、液滴噴霧システムの交換可能なヘッド部分の予め確定される寿命と少なくともほぼ等しい時間間隔に亘って液滴噴霧を構築し且つ維持するのに十分なフィルタを通じる液体流速を許容する、システムである。
【図面の簡単な説明】
【００１１】
【図１】液滴噴霧歯洗浄システムを示す概略図である。
【図２】特定の液滴噴霧流体歯洗浄システムのための動作温度窓領域を示すグラフである。
【図３】連結型の実施態様における液体噴霧を加熱するための組立体を含むそのようなシステムを示す概略図である。
【図４】一体型内蔵装置内に収容される流体噴霧を加熱するための組立体を含むそのようなシステムを示す概略図である。
【図５】図３及び図４中の加熱構成をより詳細に示す断面図である。
【図６】冷却外装構成を含む図５のシステムの変形を示す断面図である。
【図７】液滴噴霧システムのためのフィルタ構成を示す概略図である。
【図８】液滴噴霧システムのためのフィルタ構成を示す概略図である。
【図９】液滴噴霧システムのためのフィルタ構成を示す概略図である。
【発明を実施するための最良の形態】
【００１２】
図１は、一般的に、液滴噴霧（噴射）歯洗浄システム１０の図形を示している。家庭使用のための典型的な手持ち式システムは、ハンドル部分１２を含み、ハンドル部分内には、流体源１４が配置され、そして、図示の構成においては、大気からの気体のための開口１６を含むが、システムは、加圧気体源を含み得る。ハンドルは、典型的には、ユーザーインターフェース１８内のオン／オフスイッチを含む、装置１０のための全ての制御も含む。
【００１３】
ハンドルは、電池のような電源１７や、制御電子機器１９も含む。液体及び気体は、図示される構成では、ポンプ２０及び２２によって、ハンドルからヘッド部分２６に移動され、ヘッド部分は、接続液体線２８及び接続気体線３０を含み、それらは、次いで、噴霧組立体３２に接続する。噴霧組立体において、液体の流れは、気体の流れによって衝撃を受け、その結果、流体液滴、次に、ノズル３６を通じて出るそれらの液滴の加速が創成され、それらは歯を効果的に洗浄するのに適切なサイズ及び速度の液滴の噴霧を形成する。特許文献１では、液滴は概ね１０〜１５ミクロンであり、約６０〜７０ｍ／ｓの平均速度を備える。しかしながら、これは液体液滴噴霧システムの１つの実施例であるに過ぎないことが理解されるべきである。他のサイズの液体液滴を生成し且つ他の速度に加速する他の手段も、本発明において予期される。
【００１４】
上記されたように、ここに記載される液滴噴霧システムの重要な特徴は、液体噴霧の温度である。液体液滴の温度を直接的に測定することは困難であり、故に、典型的には、液体が噴霧組立体３２に入るときの温度が決定される。歯洗浄において効果的であるのみならず、口内での使用に安全でもある範囲を含む動作の窓領域が発見された。この窓領域は、図２のグラフ３６中に示されている。グラフは、Ｙ軸に沿う摂氏で示される水温、Ｘ軸に沿う１分当たり立方センチメートルで示される気体（空気）及び液体（水）の流れの容積比を含む。グラフ中に線４０で最も左に示される、容積比に対する有効洗浄の下限は、約２４であるのに対し、空気が完全な安全性及び快適性のためには大きすぎるようになる容積比上限は、線４２で、約８７５の比である。より具体的には、下限は、どのように上手く液滴噴霧が歯垢を除去するかに関係する。下限容積比は、良好な噴霧（５０ｃｃ／ｍｉｎ）のための最高の液体の流れによって除算された有効歯垢除去のための閾値（約１２００ｓｃｃ／ｍｉｎ）であると考えられる空気の最低の流れを使用する。安全性及び快適性に関する上限は、３５００ｓｃｃ／ｍｉｎの空気の流れ（上限）と、対称的な噴霧を依然として生成し得る水の最低の流れである４ｃｃ／ｍｉｎの水の流れとを使用する。
【００１５】
線４４で示される動作窓領域のための下方温度境界は、線４２との交差点である約２７°で開始し、概ね直線で、線４２との交差点である約５３℃に至る。線は、以下の式によって定められる。
【数１】
2014205144.tif 000003
【００１６】
動作窓領域の上方温度境界は、以下の式によって定められる、線４０から窓領域の左手側で開始する受容可能な温度の上限を定める第一部分４６を含む。
【数２】
2014205144.tif 000004
【００１７】
この線は、６０℃の温度に達するまで動作的であり、それは動作窓領域の上方境界の第二部分４８を形成する。よって、動作窓領域は、６０℃の最大に制限される。
【００１８】
図２のグラフは、動作の有効窓領域をもたらす。それは温度対気体／液体容積流の比の特定の境界を含む。
【００１９】
温度及び容積流比を変数として使用することで、動作の正しい地域が決定され得るし、簡単且つ直接的に制御され得る。
【００２０】
図２に示される所望の窓領域内で動作するために、液体のための信頼できる加熱システムが必要である。本構成では、気体を加熱し或いは気体及び液体の両方を加熱するのとは対称的に、液体、例えば、水が加熱される。気体及び液体の両方を加熱するのは特に効率的でなく、液体を加熱するのに気体だけを加熱することは、効果的な結果を安全且つ効率的にもたらすために、単に過剰に高い気体温度を必要とするだけである。
【００２１】
図示される実施態様では、液体を加熱するために流動ヒータ(flow-through  heater)が使用され、流動ヒータは、噴霧組立体より前に、装置内の流体線の周りに位置付けられる。加熱組立体を備える流体液滴システムの第一実施態様が図３に示され、そこでは、液滴噴霧システムの手持ち部分のハンドル部分内で流体ヒータが使用されている。図３中のシステムは、ベースハウジング５０に連結された手持ち部分又はユニット４９を含み、手持ち部分は、ユニットハンドル５２と、ハンドルから取り外し可能なヘッド５４とを含む。ハウジング５０内に配置されているのは、液体源５８、液体のためのポンプ６０、流れコントローラ６２、及び、液体制御弁６４である。
【００２２】
液体は、液体線５１を通じてハウジング５０から外に移動される。ハウジング５０は、使用者が装置を動作することを許容する制御を備えるユーザーインターフェース６６も含む。空気がポンプ６８によって大気から受け入れられ、流れコントローラ７０を通じて方向付けられ、気体線７２を通じて出る。液体線５１及び気体線７２は、手持ちユニットのハンドル部分５２に接続され、ハンドルは、液体線５１の周りの流動ヒータ７４、並びに、ハンドル電子機器７６を含む。ヒータ７４に続いて、ハンドル電子機器７６に接続されて戻る温度センサ７８がある。ハンドルは、ヘッド５４の対応する部分に接続する接続インターフェース８０も含む。代替的に、流動ヒータ構造に提供される電力はプログラムされて、センサ及び関連制御回路の必要を排除し得る。ヘッド５４は、気体線８６と、フィルタ８９を内部に備える液体線８８とを含み、それらの線は、液滴の噴霧を生成する噴霧ノズル組立体９０に延びている。
【００２３】
図５は、図３中の流動ヒータ７４の簡単な断面を示している。１つの実施態様において、システムのハンドル部分内の液体線又は管９４は、１．５ｍｍの内径と、３．０ｍｍの外径とを有する。液体線は、管９４の周りに緊密に巻回された、０．７５ｍｍ絶縁抵抗（銅）ワイヤ（７．５オーム／メートル）によって取り囲まれ、流動ヒータを形成している。加熱素子は、３〜１００ワットの範囲内にある。銅ワイヤの代替は、抵抗器であり得る。再び図３を参照すると、熱電対温度センサ７８が、流動ヒータ７４の出口に可能な限り近接して、液体管９４を通じる水の流れの中に位置付けられている。図３の連結構成は、起動から３５秒以内に定常液体温度をもたらす。液体の温度は、図示される実施態様では、流動ヒータの端部で、５４℃と６７℃との間で変化する。
【００２４】
図３の実施態様において、ヒータのための制御電子機器７６の一部は、ベース５０（制御回路５３）からの電子連結線１０１内の信号を備えてハンドル５２内に配置されている。流動ヒータ内の銅ワイヤは、ベース５０から提供される電流によって加熱される。
【００２５】
流動ヒータがハンドル内に配置されるとき（図３）、ハンドルの外側についての使用者のための最大許容温度は約４０℃である。ハンドルの温度は、銅ワイヤヒータから外向きに放射する熱の故に、使用中に普通に増大する。この温度増大は制御され、流体ヒータ素子７４とハウジングとの間の空気間隙を使用してハンドルのためのハウジング（ケーシング）の厚さを増大することによって、最大より下に維持される。加えて、流体ヒータ素子の外側は、図６に示されるような水流交換器によって冷却され得る。ヒータ素子は、１０２に示されている。ヒータ素子を取り巻いているのは、外装組立体１０４である。液体は、ヒータ素子１０２と外装１０４との間に供給され、ヒータ素子１０２の外部を冷却し、故に、ハンドルハウジング（図３）を使用者にとって望ましい快適な温度に維持する。
【００２６】
図４は、ヒータ素子／制御、並びに、液体源１０３、気体源１０４、ヒータ素子、及び、制御回路（図示せず）がハンドル内に収容される組立体１０５を示している。次に、加熱された液体及び気体は、別々の線を通じて交換可能なヘッド部分に提供される。この構成は手持ちユニットを内蔵式にし、故に、使用がより容易であるが、注意深い設計及び部品の配置を必要とする。手持ち式実施態様は電池によって電力供給され得るが、２５ワットの電力が必要とされ、それは典型的な電池が合理的に提供し得るよりも大きい。１０７で壁付きコンセントを装置に接続ためにラインコードも使用され得る。
【００２７】
図３及び図４のいずれの実施態様においても、流動ヒータをヘッド部分内に位置付けることも可能である。これは流動ヒータが噴霧ノズルにより近接して位置付けられ、よって、ヒータ素子とノズルとの間で図３のハンドル構成よりも少ない熱損失を受ける。これはより迅速な応答／定常時間をもたらす。そのような実施態様は、全ての制御電子機器がヘッド部分内にあることも必要とし、それはヘッド部分をより複雑にし、また、交換をより高価にする。
【００２８】
加熱システムの応答時間を減少するために、様々な構成が作成され得ることが理解されるべきである。例えば、より小さい内径の管材線をヒータ素子と噴霧ノズルとの間で使用することが可能である。管材線壁の厚さは減少され得るし、或いは、例えば、金属のような、より大きな熱拡散係数を備える異なる材料が使用され得る。フィルタのサイズも減少され得る。装置自体内で測定される液体の温度は、それが液体液滴を生成し、次に、加速するときに、衝突気体（空気）流の冷却効果の故に、液体が歯に衝突するときの温度よりも大きいことが理解されるべきである。
【００２９】
２．４ｍｍの噴霧直径を備える１つの動作例において、毎分８ｍｌより上の典型的な液体及び気体流速のために、液体が基体に衝突する直ぐ前の液体温度（液滴の温度）は、快適性の目的のために、基体温度（歯の温度）よりも最大で１℃大きくなければならないことが既知である。液体が噴霧組立体と歯との間を進行するときに、液体の何らかの冷却がある。再び、１つの具体的な実施例において、毎秒６５メートルの液滴速度を備える６μｍの噴霧内の液体液滴半径のために、液滴が空気を通じて進行するときの液滴の温度の降下は約４°である。液体噴霧が歯に衝突するときに、４０℃の液体噴霧温度を有するために、液体温度は、液体が噴霧ノズルを出るときに、好ましくは、約４５°でなければならない。
【００３０】
液体のフィルタリングも、普通、液滴噴射システムの正しい動作のために重要である。図７を参照すると、上記されたように、１０〜１５０μｍの範囲内の所望サイズの噴霧ノズル１２２内の開口１２０を用いるならば、開口１２０の詰まり及び液滴噴霧の減少が起こる。ノズル開口の部分的又は完全な閉塞は重大な問題である。何故ならば、それは噴霧の品質に影響を与え、ノズルから出る液滴の数も減少し、洗浄速度を減少するからである。
【００３１】
ノズル開口１２０の部分的な閉塞は、液体中に存在する小さい不純物の故に起こり得る。これらの不純物は、液体と共にノズル板１２４の開口に輸送され、開口の部分的な閉塞を引き起こす。ノズル開口１２０が完全に閉塞されると、これはシステム内の液体の流れを完全に停止する。
【００３２】
図示される実施態様では、噴霧ノズル１２２の直ぐ前にフィルタ１２６が位置付けられる。フィルタ１２６の孔(pore)サイズは、ノズル開口１２０の直径よりも小さい。液体内の粒子は、フィルタ１２６内で収集され、よって、ノズル開口に達することが阻止される。しかしながら、フィルタの孔サイズは、小さすぎてはならない。何故ならば、これはそこを通じる液体の流れに対するフィルタの抵抗を増大し、次いで、それは液滴が噴霧ノズルから出る速度の有意な減少を招くからである。
【００３３】
図示される実施態様において、孔サイズの有用な範囲は、０．０５μｍから５０μｍであり、好適範囲は、１μｍから５μｍである。この構成において、粒子の効果的なフィルタリング（ろ過）が起こるが、典型的には６ヶ月であるヘッド部分の通常予期される寿命に亘るフィルタを通じる液体の流速に目に見えるような影響を及ぼさない。故に、交換可能なヘッド部分の典型的な寿命の間、フィルタは、フィルタを通じる流速を減少せずに、液体内の粒子を除去する、即ち、圧力降下は、この時間期間に亘るフィルタに亘ってほぼ同じままである。
【００３４】
フィルタは親水性材料であることが普通望ましく、それは水道水並びに洗口液を含む様々な種類の流体と共に有用である。様々な利用可能なガラス繊維フィルタも水道水及び洗口液と共に成功裏に使用され得る。
【００３５】
液滴噴霧システムを含む一部の状況においては、図７中に１２７で例証されるように、ノズルの前に、泡が流体内に形成される。フィルタは実際には泡が移動して上流に戻るのを阻止するので、泡は脱げ出し得ない。泡はシステムの効果的な動作にとって有害である。何故ならば、それらは噴霧組立体を通じる液体流を妨害し、故に、結果として得られる液滴に否定的な効果を有するからである。泡は、流体がシステムから除去されるときに、液体内に創成されるが、液体の少量はフィルタ内に残り、空気を閉じ込める。液体が再びフィルタを通過されるとき、空気が気泡を形成する。
【００３６】
泡に対する１つの可能な解決策は、液体管材１３２内の空気脱出室１３０が示される図８の実施態様に示されるように、泡を逃げ出させることである。管材１３２は、管材を通じる液体の速度が泡１３４の典型的な速度よりも小さいように設計される。故に、システムの動作において、泡は管材の隅部まで上昇し、そこに留まる。液体ではなく、泡がフィルタ部材１３６を通過する。フィルタ部材は、小さな孔サイズを有し、典型的には、０．０２μｍのオーダにある。
【００３７】
図９は、液体から気泡を取り除く他の構成を示しており、そこでは、管材１４０の区画が、少量の空気を収容する液体供給システム１４２に加えられる。動作中、生成される泡は、追加的な管区画１４０まで上昇し、その中に閉じ込められる空気と合体する。追加的な管区画１４０は、毛管上昇又は水に対する圧力のいずれかの故に、完全に充填しないよう設計される。これは管１４０をその幅よりもずっと長くすることによって達成され得る。泡が管構成内に捕捉されるのを保証するために、追加的な管１４０及びノズルの形状は、図示されるものから変更され得る。
【００３８】
このように、効果的且つ快適な温度／流体容積動作窓領域を維持するために、制御機能を含む特定の構造を有する流体液滴システムが記載された。さらに、システムは、ノズル開口の目詰まりを防止しながら、そこを通じる十分な液体流を維持するフィルタ構成を含む。
【００３９】
例証の目的のために、本発明の好適実施態様が記載されたが、請求項によって定められる本発明の逸脱せずに、様々な変更、修正、及び、置換が実施態様に組み込まれ得ることが理解されるべきである。
【符号の説明】
【００４０】
１０    洗浄システム
１２    ハンドル部分
１４    流体源
１６    開口
１７    電源
１８    ユーザーインターフェース
１９    制御電子機器
２０    ポンプ
２２    ポンプ
２６    ヘッド部分
２８    接続液体線
３０    接続気体線
３２    噴霧組立体
３６    ノズル
４０    線
４２    線
４４    線
４６    第一部分
４８    第二部分
４９    手持ち部分又はユニット
５０    ベースハウジング
５１    液体線
５２    ユニットハンドル
５４    ヘッド
５８    液体源
６０    ポンプ
６２    流れコントローラ
６４    液体制御弁
６６    ユーザーインターフェース
６８    ポンプ
７０    流れコントローラ
７２    気体線
７４    流動ヒータ
７６    ハンドル電子機器
７８    温度センサ
８０    接続インターフェース
８６    気体線
８８    液体線
８９    フィルタ
９０    ノズル組立体
９４    液体線又は液体管
１０１  電子連結線
１０２  ヒータ素子
１０４  外装
１０５  組立体
１２０  ノズル開口
１２２  噴射ノズル
１２６  フィルタ
１３０  空気脱出室
１３２  液体管材
１３４  泡
１４０  管区画
１４２  液体供給システム
【図１】
2014205144.tif 000005
【図２】
2014205144.tif 000006
【図３】
2014205144.tif 000007
【図４】
2014205144.tif 000008
【図５】
2014205144.tif 000009
【図６】
2014205144.tif 000010
【図７】
2014205144.tif 000011
【図８】
2014205144.tif 000012
【図９】
2014205144.tif 000013